(57)【要約】  【課題】  スピーカの筐体への取り付けを簡単に行うことができ、スピーカが発する振動を吸収することができ、スピーカが発した音声が筐体内に漏洩しにくいスピーカ取付構造を有する電気機器、及びスピーカの取り付けに用いるスピーカ保持具を提供する。  【解決手段】  弾性部材によるスピーカ保持具２０の正面の周囲に帯状枠部２５を突設し、帯状枠部２５の突出端に平面２５ａを形成する。電気機器の筐体には、スピーカ保持具２０を摺動させることで着脱でき、スピーカ保持具２０の帯状枠部２５の平面２５ａを筐体の内面に当接させた状態でスピーカ保持具２０を装着する装着部を設ける。【選択図】      図３
2006325010.tif 000002
【特許請求の範囲】
【請求項１】
スピーカのフランジ部を覆って前記スピーカを保持する保持部を備え、弾性材により成形してあるスピーカ保持具において、
前記保持部は、前記スピーカの正面の周縁を覆う部分を有しており、
前記スピーカの正面の周囲を囲んで、前記部分に前記スピーカの正面方向へ突設された帯状枠部を備え、
該帯状枠部の突出端を平面にしてあること
を特徴とするスピーカ保持具。
【請求項２】
前記スピーカに接続された電気信号入力用のコードを係止する係止部を備える請求項１に記載のスピーカ保持具。
【請求項３】
前記保持部は、前記スピーカのフランジ部の側面を覆う部分を有し、
前記係止部は、前記部分に設けてある請求項２に記載のスピーカ保持具。
【請求項４】
前記保持部は、前記スピーカの周囲を囲む環状をなしており、
前記保持部の周縁間に跨設され、前記スピーカの背面側を当接支持するバンド部を備える請求項１乃至請求項３のいずれか１つに記載のスピーカ保持具。
【請求項５】
スピーカと、
請求項１乃至請求項４のいずれか１つに記載のスピーカ保持具と、
前記スピーカ及び前記スピーカ保持具を収容する筐体と、
該筐体に設けてあり、前記スピーカ保持具を摺動させて着脱し、前記スピーカ保持具の前記平面を前記筐体の内面に当接させて前記スピーカ保持具を装着する装着部と
を備えることを特徴とする電気機器。
【請求項６】
前記筐体は開閉可能な蓋部及び該蓋部に覆われる本体部を有し、
前記装着部は、
前記本体部に設けてあり、前記スピーカ保持具を前記本体部の内面に沿って摺動可能に保持する摺動保持部と、
前記本体部に設けてあり、前記摺動保持部に保持された前記スピーカ保持具の一端側と係合する第１の係合部と、
前記蓋部に設けてあり、前記蓋部を閉じた場合に前記摺動保持部に保持された前記スピーカ保持具の他端側と係合する第２の係合部と
を有する請求項５に記載の電気機器。
【発明の詳細な説明】
【技術分野】
【０００１】
本発明は、テレビ、オーディオ装置、プロジェクタ及び電話器等のスピーカを内部に備えて音声を出力することが可能な電気機器に関し、またスピーカを保持し、電気機器の筐体に固定されるスピーカ保持具に関する。
【背景技術】
【０００２】
テレビ、オーディオ装置、プロジェクタ及び電話器等の電気機器は、音声を出力するスピーカを筐体内に備えている。これらの電気機器におけるスピーカの取り付けには様々な構成が提案されており、例えば特許文献１においては、スピーカの背面に当接するスピーカ当接部及びスピーカ当接部から延びる係合脚部を有するスピーカ固定用ホルダにスピーカを装着し、基板に形成された係合孔とスピーカ固定用ホルダの係合脚部とを係合させることでスピーカを固定する構成が提案されている。この場合、スピーカの固定を簡単に行うことができるという利点がある。
【０００３】
特許文献２においては、筒状の胴部の両端の開口部に内側へ向けて突出するフランジ部をそれぞれ一体的に形成したゴム製のホルダにスピーカを装着し、ホルダに形成した脚部を回路基板に形成した係止孔に挿入してホルダを固定するスピーカの取付構造が提案されている。また、スピーカの正面側のフランジ部に先端が先細り状で環状に連続した突条を形成し、突条と機器の筐体の内面とを密着させて、筐体に形成された孔部のみから放音することで、筐体内での音の回り込みを抑制できるようにしてある。
【０００４】
特許文献３においては、スピーカに設けられた取付フランジ部が挿着される袋状収容部と、電気機器の筐体に設けられた支持ボスに固定されるブッシュ部とを一体的に有し、エラストマ又はゴム等から成形される振動吸収部材を用いて、振動吸収部材の袋状収容部にスピーカのフランジ部を挿着した状態でブッシュ部を支持ボスに挿入し、ネジにより固定するスピーカの取付機構が提案されている。スピーカが発する振動は振動吸収部材により吸収されるため、振動が電気機器の筐体を介して他の部品に伝わることを抑制できる。
【０００５】
特許文献４においては、スピーカの音放出部を除く部分を弾性材が密着して覆う保持部を有するスピーカ固定具が提案されている。保持部の弾性材を変形させることで、スピーカを保持部から着脱することができる。また、スピーカ固定具を電気機器に取り付ける場合には、筐体にテープ、接着剤又はビス等を用いて取り付けるようにしてある。
【特許文献１】特開２００２−２９１０８０号公報
【特許文献２】特開平８−７９３４８号公報
【特許文献３】特開平１０−６６１７９号公報
【特許文献４】特開２００３−１５３１２７号公報
【発明の開示】
【発明が解決しようとする課題】
【０００６】
しかしながら、特許文献１に記載のスピーカ固定用ホルダにおいては、スピーカ固定用ホルダを基板に直接係合する構成であるため、スピーカが発する振動が基板に伝わり、基板上の電子部品の動作に悪影響を与えるという問題がある。
【０００７】
特許文献２に記載のスピーカ取付構造においても同様に、ホルダを基板に固定する構成であるため、スピーカが発する振動が基板に伝わるという問題があり、更に、ホルダに形成された先細り状で環状に連続する突条が筐体の内面に接しているため、スピーカが発する振動が突状から筐体に伝わり、筐体を介して筐体内の電子部品又は機械部品等に伝わるという問題がある。
【０００８】
特許文献３に記載のスピーカの取付機構においては、スピーカのフランジ部が挿着された振動吸収部材によりスピーカが発する振動を吸収することができるが、振動吸収部材を筐体にネジ止めする必要があるため、ネジにより部品点数が増加し、ネジ止めを行うため取付工程が煩雑になるという問題がある。また、スピーカの正面と筐体との間に隙間を設けて固定する構成であるため、スピーカから出力された音が筐体内に漏洩し、筐体内で反響する虞があり、これにより音質が悪化するという問題がある。
【０００９】
特許文献４に記載のスピーカ固定具においても、スピーカを弾性材が密着して覆う構成であるため、弾性材によりスピーカが発する振動を吸収することができるが、スピーカ固定具を筐体にテープ、接着剤又はネジ等により固定する必要があるため、テープ、接着剤又はネジ等により部品点数が増加し、取付工程が煩雑になるという問題がある。また、スピーカの正面と筐体との間に隙間を設けて固定する構成であるため、スピーカから出力された音が筐体内に漏洩し、筐体内で反響する虞があり、これにより音質が悪化するという問題がある。
【００１０】
本発明は、斯かる事情に鑑みてなされたものであって、その目的とするところは、スピーカのフランジ部を覆ってスピーカを保持する保持部に、スピーカの正面となる面の周囲から突出する帯状枠部を形成し、帯状枠部の突出端に平面を形成することにより、電気機器の筐体の内面に帯状枠部の平面を密着させて固定することができるため、スピーカが発する振動が筐体に伝わりにくく、また、スピーカが発した音声が筐体内に漏洩しにくいスピーカ保持具を提供することにある。
【００１１】
また本発明の他の目的とするところは、スピーカに設けられたコードを係止する係止部を設けることにより、スピーカとコードとの接続部分が破壊されることを防止できるスピーカ保持具を提供することにある。
【００１２】
また本発明の他の目的とするところは、スピーカのコードを係止する係止部を、保持部の外側面に設けることにより、電気機器の筐体に固定する場合に、係止部及び係止部に係止されたコードが固定の妨げとならないスピーカ保持具を提供することにある。
【００１３】
また本発明の他の目的とするところは、保持部に形成された開口を跨いで、開口から露出したスピーカの背面に当接して支持するバンド部を設けることにより、より強固にスピーカを保持することができ、より振動が筐体に伝わりにくいスピーカ保持具を提供することにある。
【００１４】
また本発明の他の目的とするところは、スピーカ保持具を摺動させて着脱し、スピーカ保持具の帯状枠部の平面を筐体に当接させて装着する装着部を筐体に設けることにより、スピーカ及びスピーカ保持具の筐体への取り付けを簡単に行うことができ、また、スピーカが発する振動が筐体に伝わりにくく、スピーカが発した音声が筐体内に漏洩しにくい電気機器を提供することにある。
【００１５】
また本発明の他の目的とするところは、筐体が蓋部及び本体部に分かれている場合に、スピーカ保持具を摺動可能に保持する摺動保持部、及び摺動保持部に保持されたスピーカ保持具の一端側と係合する第１の係合部を本体部に設け、スピーカ保持具の他端側と係合する第２の係合部を蓋部に設けることにより、スピーカ及びスピーカ保持具の筐体への固定を簡単に、且つ確実に行うことができる電気機器を提供することにある。
【課題を解決するための手段】
【００１６】
本発明に係るスピーカ保持具は、スピーカのフランジ部を覆って前記スピーカを保持する保持部を備え、弾性材により成形してあるスピーカ保持具において、前記保持部は、前記スピーカの正面の周縁を覆う部分を有しており、前記スピーカの正面の周囲を囲んで、前記部分に前記スピーカの正面方向へ突設された帯状枠部を備え、該帯状枠部の突出端を平面にしてあることを特徴とする。
【００１７】
本発明においては、弾性材によるスピーカ保持具の正面の周囲に帯状枠部を形成し、帯状枠部の突出端に平面を形成し、スピーカ保持具を電気機器に装着する場合に、電気機器の筐体内面に帯状枠部の平面を密着させて固定する。スピーカが発する振動は保持部の弾性材により吸収され、スピーカ保持具が帯状枠部の密着により強固に固定されているため、振動が保持部から筐体へ伝わらない。また、スピーカの正面の周囲を帯状枠部が囲むため、筐体内にスピーカが発した音声が漏洩しにくい。
【００１８】
また、本発明に係るスピーカ保持具は、前記スピーカに接続された電気信号入力用のコードを係止する係止部を備えることを特徴とする。
【００１９】
本発明においては、スピーカのコードはスピーカに半田付けしてあることが多く、コードに力が加えられた場合に、コードが外れる虞があるが、スピーカ保持具にコードを係止する係止部を弾性材で一体的に設けて、コードに加わる力を係止部が吸収し、コードが外れることを防止する。
【００２０】
また、本発明に係るスピーカ保持具は、前記保持部が、前記スピーカのフランジ部の側面を覆う部分を有し、前記係止部は、前記部分に設けてあることを特徴とする。
【００２１】
本発明においては、スピーカのコードを係止する係止部をスピーカ保持具の外側面に設けて、スピーカ保持具を筐体に装着する場合に、係止部及び係止部に係止されたスピーカのコードが装着の妨げとならないようにする。
【００２２】
また、本発明に係るスピーカ保持具は、前記保持部が、前記スピーカの周囲を囲む環状をなしており、前記保持部の周縁間に跨設され、前記スピーカの背面側を当接支持するバンド部を備えることを特徴とする。
【００２３】
本発明においては、保持部に形成された開口を跨いでバンド部を設け、バンド部が開口から露出するスピーカの背面に当接してスピーカをより強固に保持し、スピーカが発する振動を筐体に伝わりにくくする。
【００２４】
また、本発明に係る電気機器は、スピーカと、前述の発明に記載のスピーカ保持具と、前記スピーカ及び前記スピーカ保持具を収容する筐体と、該筐体に設けてあり、前記スピーカ保持具を摺動させて着脱し、前記スピーカ保持具の前記平面を前記筐体の内面に当接させて前記スピーカ保持具を装着する装着部とを備えることを特徴とする。
【００２５】
本発明においては、電気機器の筐体に、スピーカ保持具を摺動させることで着脱でき、スピーカ保持具の帯状枠部の平面を筐体の内面に当接させて装着できる装着部を設ける。これにより、スピーカ保持具を筐体に簡単に装着することができ、スピーカが発する振動が筐体に伝わらないようにすることができ、また、スピーカが発した音声が筐体内に漏洩しにくくなる。
【００２６】
また、本発明に係る電気機器は、前記筐体が開閉可能な蓋部及び該蓋部に覆われる本体部を有し、前記装着部は、前記本体部に設けてあり、前記スピーカ保持具を前記本体部の内面に沿って摺動可能に保持する摺動保持部と、前記本体部に設けてあり、前記摺動保持部に保持された前記スピーカ保持具の一端側と係合する第１の係合部と、前記蓋部に設けてあり、前記蓋部を閉じた場合に前記摺動保持部に保持された前記スピーカ保持具の他端側と係合する第２の係合部とを有することを特徴とする。
【００２７】
本発明においては、筐体の本体に設けられた摺動保持部にスピーカ保持具を摺動させて装着し、一端側を第１の係合部に係合させて固定し、筐体の蓋部を閉じて、蓋部に設けられた第２の係合部をスピーカ保持具の他端側に係合させて固定する。これにより、スピーカ保持具を簡単にかつ確実に筐体内に固定できる。また、スピーカを筐体に固定する場合に、スピーカ保持具以外に別部材が必要なく、部品点数が少ない。
【発明の効果】
【００２８】
本発明による場合は、スピーカのフランジ部を覆ってスピーカを保持する保持部に、スピーカの正面となる面の周囲から突出する帯状枠部を形成し、帯状枠部の突出端に平面を形成することにより、電気機器の筐体の内面に帯状枠部の平面を密着させて固定することができ、スピーカが発する振動が筐体に伝わりにくくできるため、筐体内のその他の電子部品及び機械部品等が振動の影響を受ける虞がなく、また、スピーカが発した音声が筐体内に漏洩しにくくできるため、スピーカから筐体の外に放音される音声の音質を高めることができる。
【００２９】
また本発明による場合は、スピーカに設けられたコードを係止する係止部を設けることにより、スピーカのコードに加わる力を係止部が吸収することができるため、スピーカとコードとの接続部分が破壊されることを防止できる。
【００３０】
また本発明による場合は、スピーカのコードを係止する係止部を、保持部の外側面に設けることにより、スピーカ保持具を電気機器の筐体に固定する場合に、係止部及び係止部に係止されたコードが固定の妨げとならないため、スピーカ保持具の固定を行いやすくできる。
【００３１】
また本発明による場合は、保持部に形成された開口を跨いで、開口から露出したスピーカの背面に当接して支持するバンド部を設けることにより、より強固にスピーカを保持することができ、より振動が筐体に伝わりにくくできるため、筐体内のその他の電子部品及び機械部品等が振動の影響を受ける虞をなくすことができる。
【００３２】
また本発明による場合は、スピーカ保持具を摺動させて着脱し、スピーカ保持具の帯状枠部の平面を筐体に当接させて装着する装着部を筐体に設けることにより、スピーカ及びスピーカ保持具の筐体への取り付けを簡単に行うことができるため、組立工程を簡略化することができ、スピーカが発する振動が筐体に伝わりにくくすることができるため、筐体内のその他の電子部品及び機械部品等が振動の影響を受ける虞がなく、また、スピーカが発した音声が筐体内に漏洩しにくくできるため、スピーカから筐体の外に放音される音声の音質を高めることができる。
【００３３】
また本発明による場合は、筐体が蓋部及び本体部に分かれている場合に、スピーカ保持具を摺動可能に保持する摺動保持部、及び摺動保持部に保持されたスピーカ保持具の一端側と係合する第１の係合部を本体部に設け、スピーカ保持具の他端側と係合する第２の係合部を蓋部に設けることにより、スピーカ保持具以外の別部材なしでスピーカを筐体に固定できるため、部品点数が少なく、コストを削減できる。また、スピーカ保持具を簡単に筐体内に固定できるため、組立工程を簡略化でき、組立コストを削減できる。また、スピーカ保持具を強固に筐体内面に固定できるため、スピーカが発する振動が筐体に伝わりにくくすることができ、筐体内のその他の電子部品及び機械部品等が振動の影響を受ける虞をなくすことができる。
【発明を実施するための最良の形態】
【００３４】
以下、本発明をその実施の形態を示す図面に基づき具体的に説明する。なお、本実施の形態においては、電気機器としてプロジェクタを例に説明を行う。
（実施の形態１）
図１は、本発明に係るプロジェクタの構成を示す分解斜視図である。図において１は、プロジェクタの筐体であり、筐体１は扁平な直方体形状をなし、筐体１の底面、左右側面及び後側面を有する本体部１ａと、筐体１の上面及び前側面を有する蓋部１ｂとに分かれている。筐体１内には、画像投射ユニット２、回路基板３、複数の空冷ファン４、４…及びスピーカ１０等が収容してあり、筐体１の前側面からは投射レンズを有する鏡筒５が突出するようにしてある。
【００３５】
画像投射ユニット２は、原画像を表示する画像表示パネル、画像表示パネルの一面に光を照射する投光ランプ及び画像表示パネルの他面から透過光を外部に投射する投射レンズ等を備えており、投射レンズからスクリーンへ原画像を拡大表示する公知の構成を有している。図中の画像表示ユニット２は、投射レンズの鏡筒５が一側に突設され、他の構成部材を内蔵するユニット筐体として図示してあり、筐体１内のほぼ全域を占めるように収容してある。また、回路基板３は、電源ＩＣ及び制御ＩＣ等が実装してあり、画像投射ユニット２の後上側を覆うように取り付けてある。また、画像投射ユニット２を冷却するために駆動される空冷ファン４、４…は、筐体１の左側面に沿って並設してある。空冷ファン４、４…が吸い込んだ空気は、筐体１内の構成部品を冷却した後、筐体１の右側面に形成された複数の通風口７、７…から排出される。
【００３６】
筐体１の本体部１ａの左後側には、スピーカ１０を装着するためのスピーカ装着部９が配設してあり、スピーカ１０は、ゴムにより成形されたスピーカ保持具２０に保持された状態で、スピーカ装着部９に装着してあり、図示しない信号入出力用のコードによって回路基板３に接続され、回路基板３に設けられた制御回路により制御されて音声を出力する。
【００３７】
図２は、本発明の実施の形態１に係るスピーカ保持具２０の構成を示す背面斜視図であり、スピーカ保持具２０と共に、スピーカ１０を並べて図示してある。図３は、本発明の実施の形態１に係るスピーカ保持具２０の構成を示す正面斜視図であり、図４は、本発明の実施の形態１に係るスピーカ保持具２０がスピーカ１０を保持している状態を示す背面斜視図である。
【００３８】
スピーカ１０は、磁気回路及びコーン形の振動板を内部に備える略円柱形の振動部１２と、振動部１２の正面側の側面を囲んで設けられた略矩形状のフランジ部１１と、振動部１２の背面に接続された駆動信号入力用の２本のコード１３、１３とを備える構成である。また、振動部１２及びフランジ部１１の正面は放音面１４をなす。
【００３９】
スピーカ保持具２０は、スピーカ１０のフランジ部１１の周側面を覆う周面被覆部２１ａ、放音面１４の周縁を覆う正面被覆部２１ｂ及びフランジ部１１の背面の周縁を覆う背面被覆部２１ｃを弾性部材により一体成形した扁平な略直方体状の弾性保持部２１を備えており、弾性保持部２１がスピーカ１０のフランジ部１１を周側面、正面及び背面から覆うことで、スピーカ１０を保持するようにしてある。
【００４０】
スピーカ保持具２０の弾性保持部２１は、スピーカ１０の放音面１４及びその反対面をそれぞれ周縁部分のみ覆うようにしてあるため、弾性保持部２１の正面被覆部２１ｂには長穴状に開口した正面開口部２２が設けられ、背面被覆部２１ｃには長穴状に開口した背面開口部２３が設けられている。スピーカ保持具２０は弾性部材により成形してあるため、スピーカ保持具２０を弾性変形させ、正面開口部２２又は背面開口部２３からスピーカ１０を弾性保持部２１内に収容して、スピーカ１０を保持するようにしてある。
【００４１】
スピーカ保持具２０の長辺側の両側面には、スピーカ保持具２０をプロジェクタの筐体１に固定するための固定部２４、２４がそれぞれ設けられている。固定部２４、２４は、側面の略中央から正面にかけての部分を、側面の長手方向に沿って外側へ突出させたものであり、スピーカ保持具２０と一体的に形成してある。
【００４２】
また、スピーカ保持具２０の短辺側の一側面には、スピーカ１０を保持した場合にスピーカ１０のコード１３、１３を押さえるためのコード係止部２６が設けてある。コード係止部２６は、スピーカ保持具２０の側面に突設された、コード１３、１３を巻き付けるための、断面略Ｔ字型のＴ字突起２６ａと、Ｔ字突起２６ａに巻き付けたコード１３、１３が解けることを防止するための、スピーカ保持具２０の側面のＴ字突起２６ａの左右にそれぞれ突設された押さえ突起２６ｂ、２６ｂとを備えている。Ｔ字突起２６ａ及び押さえ突起２６ｂ、２６ｂは、スピーカ保持具２０の弾性保持部２１と一体的に弾性部材により形成してある。
【００４３】
また、スピーカ保持具２０の正面部分には、正面部分の周縁を囲むように、略矩形枠状の帯状枠部２５が突設してある。帯状枠部２５は、スピーカ１０の放音面１４と略平行で滑らかな連続した平面２５ａを有するように、弾性保持部２１と一体的に形成してあり、また、弾性保持部２１にコード係止部２６が突設されている一端側のみ、枠の一部分が欠けた形状をなしている。帯状枠部２５の平面２５ａは、スピーカ保持具２０をプロジェクタの筐体１に固定した場合に、筐体１の内面に当接する部分であり、帯状枠部２５の平面２５ａが筐体１の内面に密着するようにして、スピーカ保持具２０を筐体１に堅固に固定し、スピーカ１０が発する振動が筐体１へ伝わりにくくすると共に、帯状枠部２５がスピーカ１０の放音面１４の周囲を囲むようにして、放音面１４から放音された音声が筐体１内部に漏れにくくしている。
【００４４】
図５は、本発明の実施の形態１に係るプロジェクタのスピーカ装着部９の構造を示す斜視図であり、図６は、本発明の実施の形態１に係るプロジェクタのスピーカ装着部９にスピーカを装着した状態を示す斜視図である。なお、図５及び図６において、スピーカ１０のコード１３、１３は図示を省略している。
【００４５】
スピーカ装着部９は、筐体１の本体部１ａに形成された複数の貫通孔４０、４０…を有しており、複数の貫通孔４０、４０…は略矩形状に縦横に並べて形成してあり、筐体１内に配されたスピーカ１０が発した音声を、貫通孔４０、４０…から筐体１の外部へ放音することができるようにしてある。略矩形状に並べられた貫通孔４０、４０…の左右を囲んで、筐体１の内側面には、スピーカ保持具２０の帯状枠部２５が筐体１の内側面に接触した状態で、スピーカ保持具２０を上下方向にスライド可能に保持する摺動保持部４１、４１が設けてある。摺動保持部４１、４１は、筐体１の内側面に略平行に突設された上下方向に長い２つの板を、突出方向の中途部分でそれぞれ内向きに屈曲させたものであり、スピーカ保持具２０の固定部２４、２４をそれぞれ筐体１の内側面と摺動保持部４１、４１とで挟んで保持するようにしてある。
【００４６】
略矩形状に並べられた複数の貫通孔４０、４０…の下側には、摺動保持部４１、４１に保持されたスピーカ保持具２０の下端部分と係合して、スピーカ保持具を下方向へスライド不可に固定する第１の係合板４２が設けてある。第１の係合板４２は、筐体１の内側面に突設された上下方向に長い板であり、スピーカ保持具２０の下側面に第１の係合板４２の上側面が当接するようにしてある。また、第１の係合板４２の上側面には、突出方向の中途から先端までの部分に、上方向へ延出する延出部４２ａが設けてあり、延出部４２ａがスピーカ保持具２０及びスピーカ１０の背面を押さえるようにしてある。
【００４７】
また、第１の係合板４２は、２つの摺動保持部４１、４１の間の中間位置ではなく、摺動保持部４１、４１の一方に近い位置に設けてある。これは、第１の係合板４２がスピーカ保持具２０のコード係止部２６に当たらないようにするためであり、且つ、第１の係合板４２の延出部４２ａがスピーカ１０の背面から突出している振動部１２に当たらないようにするためである。
【００４８】
筐体１の蓋部１ｂには、摺動保持部４１、４１に保持されたスピーカ保持具２０の上端部分と係合して、スピーカ保持具２０を上方向へスライド不可に固定する第２の係合板４３が設けてある。第２の係合板４３は、第１の係合板４２と同様の形状の板であり、蓋部１ｂの下面に突設され、蓋部１ｂを装着した場合に、第２の係合板４３の下側面がスピーカ保持具２０の上側面に当接するようにしてある。また、第２の係合板４３の下側面には、第１の係合板４２の延出部４２ａと同様に、延出部４３ａが設けてあり、延出部４３ａがスピーカ保持具２０及びスピーカ１０の背面を押さえるようにしてある。また、第２の係合板４３は、第１の係合板４２がスピーカ保持具２０と係合する位置の対角位置でスピーカ保持具２０と係合するようにしてある。
【００４９】
以上の構成の電気機器において、スピーカ１０を筐体１に取り付ける場合は、まず、スピーカ保持具２０を弾性変形させ、正面開口部２２又は背面開口部２３からスピーカ１０をスピーカ保持具２０内に収容し、スピーカ１０の背面のコード１３、１３をコード係止部２６のＴ字突起２６ａに巻き付ける。Ｔ字突起２６ａに巻き付けられたコード１３、１３は、押さえ突起２６ｂ、２６ｂにより両側から押さえられるため、簡単に外れることはない。
【００５０】
次いで、筐体１の本体部１ａに設けられた摺動保持部４１、４１と筐体１の内面との間に、スピーカ保持具２０の固定部２４、２４を挟み込み、摺動保持部４１、４１に沿って筐体１の上側から下側へ、第１の係合板４２と係合するまでスピーカ保持具２０をスライドさせる。その後、蓋体１ｂを本体部１ａに装着し、第２の係合板４３をスピーカ保持具２０の上部と係合させて、スピーカ保持具２０を固定する。
【００５１】
スピーカ１０はスピーカ保持具２０によりフランジ部１１を覆われて保持され、スピーカ保持具２０は摺動保持部４１、４１、第１の係合板４２及び第２の係合板４３により四方の側面及び背面を押さえられて筐体１の内側面に固定される。よって、スピーカ１０の筐体１への取り付けを簡単に行うことができる。
【００５２】
スピーカ１０は弾性部材によるスピーカ保持具２０に保持されているため、スピーカ１０が発する振動はスピーカ保持具２０に吸収され、筐体１へ伝わりにくい。また、スピーカ保持具２０の帯状枠部２５の平面２５ａを筐体１の内面に密着させて、スピーカ保持具を堅固に固定しているため、より筐体１へ振動が伝わりにくくしてある。また、帯状枠部２５がスピーカ１０の放音面１４の周囲を囲むように設けてあるため、スピーカ１０から発せられた音声が筐体１内に漏れることなく、確実に貫通孔４０、４０…から筐体１の外部へ放音できる。
【００５３】
なお、本実施の形態においては、スピーカ保持具２０にコード係止部２６を一体的に備える構成を示したが、これに限らず、別の部品としてスピーカ保持具２０にコード係止部２６を取り付けて一体とする構成であってもよく、また、コード係止部２６を備えない構成であってもよい。また、コード係止部２６をＴ字突起２６ａ及び押さえ突起２６ｂ、２６ｂによって構成したが、これに限るものではなく、Ｔ字突起２６ａのみであってもよく、または、他の形状であってもよい。また、第１の係合板４２及び第２の係合板４３の形状は一例であって、これに限るものではない。
【００５４】
また、帯状枠部２５は、コード係止部２６が設けられている一端側にて、枠が一部欠けている構成を示したが、これに限るものではなく、欠けがなく周全てを囲む構成であってもよく、又はより多くの欠けている部分を有する構成であってもよい。
【００５５】
また、スピーカ保持具２０の素材はゴムに限定するものではなく、例えばポリウレタン、塩化ビニル、塩化ポリエチレン及びシリコンフォーム等の弾性を有する素材を用いてもよい。また、本実施形態においては電気機器としてプロジェクタを例に説明を行ったが、これに限るものではなく、オーディオ装置又はテレビ等の他の電気機器であって、スピーカを内蔵するものに関して、同様の構成を適用することができる。
【００５６】
（実施の形態２）
図７は、本発明の実施の形態２に係るスピーカ保持具２０ａの構成を示す背面斜視図であり、スピーカ保持具２０ａとともに、スピーカ１０を並べて図示してある。図８は、本発明の実施の形態２に係るスピーカ保持具２０ａがスピーカ１０を保持している状態を示す背面斜視図である。
【００５７】
実施の形態２に係るスピーカ保持具２０ａは、実施の形態１に係るスピーカ保持具２０とほぼ同じ構成であり、スピーカ１０のフランジ部１１を収容して保持する弾性保持部２１と、弾性保持部２１の側面に設けられた固定部２４、２４及びコード係止部２６と、弾性保持部２１の正面に設けられた帯状枠部２５（図３参照）とを備えている。
【００５８】
弾性保持部２１の背面に形成された背面開口部２３には、背面開口部２３を縦横に跨いで、略十字形のバンド部２７が設けてある。バンド部２７は、弾性保持部２１と一体的にゴムによって形成されたものであり、スピーカ１０をスピーカ保持具２０が保持する場合に、スピーカ１０の振動部１２の背面を押さえるようにしてある。なお、背面開口部２３にバンド部２７が設けられているため、スピーカ１０は前面開口部２２からスピーカ保持具２０ａ内に収容する。
【００５９】
以上の構成のスピーカ保持具２０ａを用いた場合、スピーカ１０の振動部１２をバンド部２７で押さえることができるため、スピーカ１０をより確実に保持することができると共に、振動部１２からの振動をバンド部２７で吸収できるため、スピーカ１０からの振動が他の構成部品へ伝わることをより確実に防止することができる。
【００６０】
なお、実施の形態２においては、スピーカ保持具２０ａのバンド部を、背面開口部２３を縦横に跨る略十字形としたが、これに限るものではなく、縦又は横のどちらか一方のみに跨る略長方形に形成してもよい。また、縦横方向のみでなく、斜め方向にバンド部を設けてもよい。
【００６１】
実施の形態２に係るプロジェクタのその他の構成は、実施の形態１に係るプロジェクタの構成と同様であるため、対応する箇所には同じ符号を付して詳細な説明を省略する。
【図面の簡単な説明】
【００６２】
【図１】本発明に係るプロジェクタの構成を示す分解斜視図である。
【図２】本発明の実施の形態１に係るスピーカ保持具の構成を示す背面斜視図である。
【図３】本発明の実施の形態１に係るスピーカ保持具の構成を示す正面斜視図である。
【図４】本発明の実施の形態１に係るスピーカ保持具がスピーカを保持している状態を示す背面斜視図である。
【図５】本発明の実施の形態１に係るプロジェクタのスピーカ装着部の構造を示す斜視図である。
【図６】本発明の実施の形態１に係るプロジェクタのスピーカ装着部にスピーカを装着した状態を示す斜視図である。
【図７】本発明の実施の形態２に係るスピーカ保持具の構成を示す背面斜視図である。
【図８】図８は、本発明の実施の形態２に係るスピーカ保持具がスピーカを保持している状態を示す背面斜視図である。
【符号の説明】
【００６３】
１  筐体
１ａ  本体部
１ｂ  蓋部
９  スピーカ装着部
１０  スピーカ
１１  フランジ部
１２  振動部
１３  コード
１４  放音面
２０、２０ａ  スピーカ保持具
２１  弾性保持部（保持部）
２２  正面開口部
２３  背面開口部
２４  固定部
２５  帯状枠部
２５ａ  平面
２６  コード係止部（係止部）
２７  バンド部
４１  摺動保持部
４２  第１の係合板（第１の係止部）
４３  第２の係合板（第２の係止部）
【図１】
2006325010.tif 000003
【図２】
2006325010.tif 000004
【図３】
2006325010.tif 000005
【図４】
2006325010.tif 000006
【図５】
2006325010.tif 000007
【図６】
2006325010.tif 000008
【図７】
2006325010.tif 000009
【図８】
2006325010.tif 000010